(57)【要約】【課題】極めて簡単な構成でありながら、外力によるスラット端部の変形が大であるほどガイドレールからの抜け出し防止が強化されるように係止フックを構成することにより、より高い防犯機能を達成することができるシャッター装置における防犯構造を提供する。【解決手段】ガイド溝６の対向側壁６ａ、６ｂのうち屋内側Ａに位置する側壁６ａに、係止突条部８を形成する一方、ガイド溝６内に位置する各スラット７端部の屋内側面７´に、係止突条部８に係止片９を臨ませた係止フック１０を固着して、屋外側Ｂからガイド溝６内に外力が進入した際、スラット端部の変形にともなって係止フック１０の係止片９が変姿して係止突条部８に係合するようにした。【選択図】図２
2005133398.tif 000002
【特許請求の範囲】
【請求項１】
上下に隣接する複数のスラットを一連状に連接してなるシャッターカーテンの左右両端部を、建物開口部に離間対設した左右一対のガイドレールのガイド溝に挿入案内し、上記シャッターカーテンのガイドレールに沿って建物開口部を開閉するように構成したシャッター装置において、上記ガイド溝の対向側壁のうち屋内側に位置する側壁に係止突条部を形成する一方、前記ガイド溝内に位置するスラットの端部に係止部を形成し、全閉状態のシャッターカーテンに対して屋外側から前記スラット端部の面内方向に外力が作用した際、上記係止部が屋内側に変姿して前記係止突条部に係合するように構成したことを特徴とするシャッター装置における防犯構造。
【請求項２】
上下に隣接する複数のスラットを一連状に連接してなるシャッターカーテンの左右両端部を、建物開口部に離間対設した左右一対のガイドレールのガイド溝に挿入案内し、上記シャッターカーテンのガイドレールに沿って建物開口部を開閉するように構成したシャッター装置において、上記ガイドレールの屋内側の側壁内面からスラット面に向けて立ち上がる係止突条部を一体形成してなる補強ガイド部を、上記ガイドレールに内嵌すると共に、前記ガイド溝内に位置するスラットの端部の屋内側面に、上記係止突条部に臨ませた係止部を形成し、全閉状態のシャッターカーテンに対して屋外側から前記スラット端部の面内方向に外力が作用した際、前記係止部が変姿して、上記補強ガイド部の係止突条部に係合するように構成したことを特徴とするシャッター装置における防犯構造。
【請求項３】
上記係止部は、スラットの端部の屋内側面に面着固定される本体面部と、その余長部を起立させた係止片で形成され、かつ上記本体面部の取付位置から当該係止片に至る間に、前記外力による変形を許容する低剛性面部を介在させたことを特徴とする請求項１または２に記載のシャッター装置における防犯構造。
【発明の詳細な説明】
【技術分野】
【０００１】
本発明は、複数のスラットを一連状に連接してなるシャッターカーテンが、全閉状態において悪意ある部外者によりガイドレールから抜け出されることを防止するシャッター装置における防犯構造に関するものである。
【背景技術】
【０００２】
建物開口部に設置されるシャッター装置では、複数のスラットを一連状に連接して構成されたシャッターカーテンを、手動または電動による開閉作動により当該開口部を開閉するようになっており、その設置の目的としては、防犯機能が主たるものとなっている。
【０００３】
しかしながら、上記ように構成したシャッターカーテンの全閉状態においては、シャッターカーテンの通常の開閉作動を円滑に行う上で、ガイドレールの案内溝とこれに呑み込まれるシャッターカーテン端部に僅かな隙間が存在するため、悪意ある部外者がバール、鉄棒等をこの隙間に差し込み、ガイドレールから当該カーテンの一部を抜け出させて、ここから内部へ侵入されてしまう惧れがあった。
【０００４】
一方、従来においては、上記侵入方法に対する有効な手段は提案されていなかった。
【特許文献１】該当なし
【発明の開示】
【発明が解決しようとする課題】
【０００５】
本発明は、上記の如き実状に鑑み、シャッター装置の基本的機能である防犯機能の更なる向上を追究する研究、開発の過程において、「外部からの悪意ある外力に対し、その外力を利用してシャッターカーテンのガイドレールからの抜け出しを防止することは出来ないか」という発想に基づいて創案されたものであって、その目的とするところは、極めて簡単な構成でありながら、外力によるスラット端部の変形が大であるほどガイドレールからの抜け出し防止が強化されるように係止部を構成することにより、より高い防犯機能を達成することができるシャッター装置における防犯構造を提供しようとするものである。
【課題を解決するための手段】
【０００６】
課題を解決するため、本発明が採用した第１の技術手段は、上下に隣接する複数のスラットを一連状に連接してなるシャッターカーテンの左右両端部を、建物開口部に離間対設した左右一対のガイドレールのガイド溝に挿入案内し、上記シャッターカーテンのガイドレールに沿って建物開口部を開閉するように構成したシャッター装置において、上記ガイド溝の対向側壁のうち屋内側に位置する側壁に係止突条部を形成する一方、前記ガイド溝内に位置するスラットの端部に係止部を形成し、全閉状態のシャッターカーテンに対して屋外側から、前記スラット端部の面内方向に外力が作用した際、上記係止部が屋内側に変姿して前記係止突条部に係合するように構成したことを特徴とし、第２の技術手段として、上下に隣接する複数のスラットを一連状に連接してなるシャッターカーテンの左右両端部を、建物開口部に離間対設した左右一対のガイドレールのガイド溝に挿入案内し、上記シャッターカーテンのガイドレールに沿って建物開口部を開閉するように構成したシャッター装置において、上記ガイドレールの屋内側の側壁内面からスラット面に向けて立ち上がる係止突条部を一体形成してなる補強ガイド部を、上記ガイドレールに内嵌すると共に、前記ガイド溝内に位置するスラットの端部の屋内側面に、上記係止突条部に臨ませた係止部を形成し、全閉状態のシャッターカーテンに対して屋外側から、前記スラット端部の面内方向に外力が作用した際、前記係止部が変姿して、上記補強ガイド部の係止突条部に係合するように構成したことを特徴とし、第３の技術手段として、上記係止部は、スラットの端部の屋内側面に面着固定される本体面部と、その余長部を起立させた係止片で形成され、かつ上記本体面部の取付位置から当該係止片に至る間に、前記外力による変形を許容する低剛性面部を介在させたことを特徴とするものである。
【発明の効果】
【０００７】
したがって本発明によれば、悪意による外力がかからない平常時には、シャッターカーテンの全閉状態において、係止フックはガイドレール側の係止突条部に臨んでいるだけなので、相互に係合することがなく、通常の開閉作動に支障を来すことがない。また、開閉作動中における巻き取りドラムの捩れや巻きムラに起因するシャッターカーテン左右端縁部の開口幅方向の移動も、上記係止フックがガイドレール側の係止突条部により規制されるので最小限に抑えることができる。
【０００８】
一方、悪意ある部外者がバール、鉄棒等をガイド溝に進入させて、ガイド溝内に呑み込まれているシャッターカーテンの左右両端部を折り曲げ変形させると、この変形に伴ってスラット端部に設けた係止フックの係止片が、外力による変形を許容する低剛性面部を介して容易に変姿し、この外力が増大すればするほど、上記係止片の変姿量が増大してガイドレール側の係止突条部との係合が強固になるため、シャッターカーテンの左右両端部の抜け出しが更に困難となり、より高い防犯機能を維持することができる。
【実施例１】
【０００９】
本発明の構成を、添付図面に示した一実施例に基づいて詳細に説明する。
図１は、建物開口部１に設置された電動シャッター装置２の正面図であって、３はシャッターカーテン、４は図示しない巻き取りドラムを内装したシャッターケース、５、５は上記シャッターカーテン３の左右両端部を呑み込むガイド溝６、６を形成して離間対向する一対のガイドレールであって、シャッターケース４内の巻き取りドラムの正逆回転駆動によってシャッターカーテン３を昇降駆動することにより建物開口部１を開閉する構成となっている。
【００１０】
上記シャッターカーテン３は、図２〜図４に示すように、上下に曲成したインターロック部７ａ、７ｂを介して複数のスラット７、７…を一連状に連接して形成され、各スラット７、７…の左右両端部は、建物開口部１において離間対向する上記ガイドレール５、５のガイド溝６、６にそれぞれ挿入案内されると共に、上記ガイド溝６、６の対向側壁６ａ、６ｂのうち屋内側Ａに位置する側壁６ａには、断面視Ｌ字状の係止突条部８が開口高さ全域に亘って一体に形成されている。なお、本実施例では、屋外側Ｂに位置する側壁６ｂにも同様の係止突条部８´が形成されている。なお、係止突条部８は開口高さ全域に亘っていなくてもよく、最低限の高さとして人間の背の高さ程度でもよい。
【００１１】
また、上記ガイド溝６、６内に位置する各スラット７、７…の左右両端部の屋内側面７´には、ガイドレール５、５の前記係止突条部８、８に係止片９を臨ませた係止フック１０がそれぞれ固着されている。係止フック１０は、スラット７の幅Ｓ内に略収まった状態でかつスラット７端部から突出しない状態でスラット７に設けられている。このようにすることにより、シャッターカーテン３の通常時の開閉動作や巻取ドラムに巻装されている場合に係止フック１０が巻きや開閉に悪影響を及ぼすことがない。なお、本発明の係止部は上記係止フック１０のように別体で設けたものに限らず、スラット７の端部を折り曲げて一体形成したようなものでもよい。
【００１２】
ここで、上記係止フック１０について説明すると、該係止フック１０は、図３に示すように、各スラット７、７…の左右両端部の屋内側面７´に面着固定される本体面部１０ａと、その余長部を起立させた係止片９で形成されており、上記本体面部１０ａには、スラット７への取付位置となる取付孔１１、１１が離間して穿設されていると共に、上記取付孔１１、１１間に位置する面域１２は略正方形状に穿設されて、当該取付孔１１、１１位置を含む面内から係止片９に至る間で、他の部位より剛性を低下させた低剛性面部１３が形成されており、上記係止フック１０は、図４（ａ）に点線で示すスラット７の幅内に、当該フック１０全体が収まるように構成され、かつスラット端縁に沿って起立する係止片９もその範囲内に収まる構成となっている。
１４は低剛性面部１３と隣接して側面視コ字形に一体形成された補強リブ部であって、上記低剛性面部１３における変形が生じた場合に、係止片９を除く係止フック１０全体にその変形力による歪みの影響が及ばないようにする目的で設けられている。この補強リブ部１４の高さは、図４（ａ）に点線で示すスラット７の幅内に収まって略面一となるように構成されており、図示しない巻取ドラムにシャッターカーテン３を巻装した際、この補強リブ部１４の存在により、巻取作動で上下に重合するスラット７、７の端部同士あるいは係止片９同士の不用な嵌着、噛み合いを防止して円滑な巻取巻き戻し作動を保持できるようになっている。
【００１３】
本発明は叙上の如く構成されているから、平常時のシャッターカーテン１の全閉状態では、図４（ａ）に示すように、各スラット７、７…はガイドレール５、５のガイド溝６、６にそれぞれ左右両端部を挿通案内して、図示しない電動開閉機の正逆回転駆動または手動による開閉作動で建物開口部１を開放、閉鎖する。
【００１４】
このような平常時の使用において、全閉状態のシャッターカーテン１に対し、図４（ｂ）に示すように、悪意ある部外者がガイドレール５のガイド溝６と、これに呑み込まれるシャッターカーテン３の左右両端部との間に形成された僅かな隙間からバール１５などを差し込んで、ガイド溝６内の端部を折り曲げ変形させると、図２（ｂ）に示すように、スラット７の屋外側面７´´の端縁からバール１５による変形（交差斜線部分）が生じ始め、その変形力が屋内側面７´、すなわち係止フック１０の取付部位にも作用する。これと同時に、上記バール１５の変形力は、屋外側Ｂに位置する側壁６ｂの係止突条部８´を支点として係止フック１０の係止片９に作用し、屋内側Ａに位置する側壁６ａの拡開変形とともに、当該係止フック１０の低剛性面部１３を介して係止片９が、同図および図４（ｂ）に示すように、スラット幅Ｓから大きく突出してその先端が屋内側の係止突条部８に近づくように変姿して、更にバール１５で矢印方向に外力をかけると、上記係止片９の先端が係止突条部８に完全に係合することになって、ガイド溝６内から当該スラット７端部の抜け出しが防止されることになる。
【００１５】
上記図４に示したシャッター装置１では、建物開口部１を形成した躯体の屋内側Ａに位置する側壁に、ガイドレール５、５を設置した場合を示したが、図５に示すように、建物開口部１を形成した躯体の屋外側Ｂに位置する側壁に、ガイドレール５、５を設置した場合にも、同様にスラット７端部の抜け出しを防止することができる。
【００１６】
すなわち、同図（ｂ）に示すように、悪意ある部外者がガイドレール５のガイド溝６と、これに呑み込まれるシャッターカーテン３の左右両端部との間に形成された僅かな隙間からバール１５などを差し込んで、ガイド溝６内の端部を折り曲げ変形させると、上記バール１５の変形力は、屋外側Ｂに位置する側壁６ｂの係止突条部８´を支点として係止フック１０の係止片９に作用し、屋外側Ｂに位置する側壁６ｂの拡開変形とともに、当該係止フック１０の低剛性面部１３を介して係止片９が、スラット幅Ｓから大きく突出してその先端が屋内側の係止突条部８に近づくように変姿して、更にバール１５で矢印方向に外力をかけると、上記係止片９の先端が係止突条部８に完全に係合することになって、ガイド溝６内から当該スラット７端部の抜け出しが防止されることになる。
【実施例２】
【００１７】
図７および図８は、本発明の他の実施例の構成を示すものであって、この構成では、図７（ａ）に示すように、ガイドレール５、５内に、ガイド溝６、６の対向側壁６ａ、６ｂのうち屋内側Ａに位置する側壁６ａの内面に沿って、図６（ａ）（ｂ）に示すように、係止突条部８´を一体形成した断面視略コ字形の補強ガイド部１６が開口高さ全域もしくはガイドレール５の下端から１ｍ〜１．５ｍの高さを有して内嵌され、ガイドレール５の屋外側の側壁６ｂに螺着されている。また、上記係止突条部８´は、補強ガイド部１６の内嵌状態でガイド溝６のスラット７の案内に支障を来さない高さで略面一に形成されており、また、係止フック１０の係止片９は、係止突条部８´の位置よりガイドレール５の底面側に位置するように設けられている。ここで、同図（ｂ）に示すように、全閉状態のシャッターカーテン３に対して屋外側Ｂからガイド溝６内に進入したバール１５の外力がスラット７端部の面内方向に作用すると、補強ガイド部１６がガイドレール５の屋外側Ｂに位置する側壁６ｂの拡開変形とともにガイドレール５内で水平方向に回動し、低剛性面部１３を介して変姿した係止フック１０の係止片９が、スラット幅Ｓから大きく突出してその先端が上記補強ガイド部１６の係止突条部８´に係合するようになっている。
【００１８】
上記のように構成することにより、バール１５による外力が常に補強ガイド部１６と係止フック１０の双方に作用するため、その相対位置関係が略一定となって、係止突条部８´に係止フック１０の係合動作がより確実に行えるようになる。なお、補強ガイド部１６は、断面視Ｌ字型に形成してもよい。
【００１９】
図８（ａ）は、上述の図７に示した建物開口部１を形成した躯体の屋内側Ａに位置する側壁に、ガイドレール５、５を設置する構成に代えて、建物開口部１を形成する躯体の屋外側Ｂに位置する側壁に、ガイドレール５、５を設置した場合を示すものであって、この構成でも、同図（ｂ）に示すように、悪意ある部外者がガイドレール５のガイド溝６からバール１５を進入させて、ガイド溝６内のスラット７端部を折り曲げ変形させると、上記バール１５の変形力は、屋外側Ｂに位置する側壁６ｂを支点として係止フック１０の係止片９に作用し、屋内側Ａに位置する側壁６ａの拡開変形とともに、当該係止フック１０の低剛性面部１３を介して係止片９が、スラット幅Ｓから大きく突出してその先端が係止突条部８に近づくように変姿して、更にバール１５で矢印方向に外力をかけると、上記係止片９の先端が係止突条部８に完全に係合することになって、ガイド溝６内から当該スラット７端部の抜け出しが防止されることになる。なお、本実施例においては、左右ガイドレール５、５に補強ガイド部１６、１６が設けられているので、一方のガイドレール５がバール１５でこじ開けられようとした場合、スラット７がスライドして反対側のガイドレール５の底面を押し、当該ガイドレール５を変形させようとするが、補強ガイド部１６によりその変形が抑制され、図９の点線で示したように、ガイドレール５が変形してスラット７が更にスライドすることがなく、その結果、バール１５等でこじ開けられようとしているガイドレール５側のスラット呑み込み量が少なくなってガイドレール５からスラット７が抜け出し易くなることを効果的に防止することができる。
【００２０】
図１０は、係止フック１０の他の構成例を示すものであって、同図（ａ）〜（ｃ）に示す係止フック１０´は、取付孔１１、１１の穿設位置および対向状の切欠部１７、１７を形成して低剛性面部１３´を有する本体面部１０´ａと、その余長部を起立させた係止片９´で形成されるものである。同図（ｄ）〜（ｆ）に示す係止フック１０´´は、取付孔１１、１１と複数の穿設孔１８、１８…を穿設して低剛性面部１３´´を有する本体面部１０´´ａと、その余長部を起立させ係止片９´´で形成され、この構成では当該係止片９´´の先端側は更に本体面部１０´´ａと平行をなす先端片９´´ａが一体形成されているものである。
【図面の簡単な説明】
【００２１】
【図１】シャッター装置の全体正面図
【図２】（ａ）は係止フックの取付状態を示す要部斜視図、（ｂ）は同上変姿状態の係止フックを示す要部斜視図
【図３】（ａ）はスラットの一部省略正面図、（ｂ）は係止フックの拡大平面図、（ｃ）は同正面図、（ｃ）は同右側面図
【図４】（ａ）は平常時のガイドレールおよびスラットの位置関係を示す平面図、（ｂ）は屋外側から外力が作用した状態での係止フックと係止突条部の状態を示す平面図
【図５】（ａ）は平常時のガイドレールおよびスラットの位置関係を示す平面図、（ｂ）は屋外側から外力が作用した状態での係止フックと係止突条部の状態を示す平面図
【図６】（ａ）は補強ガイド部の平面図、（ｂ）は同正面図
【図７】（ａ）は平常時のガイドレールおよびスラットの位置関係を示す他の実施例の平面図、（ｂ）は屋外側から外力が作用した状態での係止フックと係止突条部の状態を示す他の実施例の平面図
【図８】（ａ）は平常時のガイドレールおよびスラットの位置関係を示す他の実施例の平面図、（ｂ）は屋外側から外力が作用した状態での係止フックと係止突条部の状態を示す他の実施例の平面図
【図９】一方のガイドレールに対してバール等で外力が作用した場合に、他方のガイドレールに対するスラット端部および補強ガイド部の状態を示す作用説明図
【図１０】（ａ）は他の構成の係止フックの拡大平面図、（ｂ）は同正面図、（ｃ）は同右側面図、（ｄ）は他の構成の係止フックの拡大平面図、（ｅ）は同正面図、（ｆ）は同右側面図は係止フックの取付状態を示す要部斜視図
【符号の説明】
【００２２】
７      スラット
３      シャッターカーテン
１      建物開口部
５      ガイドレール
６      ガイド溝
２      （電動）シャッター装置
６ａ    側壁
６ｂ    側壁
８      係止突条部
７´    屋内側面
９      係止片
１０    係止フック
１０ａ  本体面部
１３    低剛性面部
１６    補強ガイド部
【図１】
2005133398.tif 000003
【図２】
2005133398.tif 000004
【図３】
2005133398.tif 000005
【図４】
2005133398.tif 000006
【図５】
2005133398.tif 000007
【図６】
2005133398.tif 000008
【図７】
2005133398.tif 000009
【図８】
2005133398.tif 000010
【図９】
2005133398.tif 000011
【図１０】
2005133398.tif 000012